(57)【特許請求の範囲】
【請求項１】
先端に注射針が設けられた可撓性チューブからなる注液チューブが、内視鏡の処置具挿通路に挿脱自在な外套管内に進退可能に挿通された内視鏡用注射具において、
上記外套管の手元側口元付近に取り付けられた硬質のパイプ状部材の一部分を部分的に内方に潰すことによりその部分を上記注液チューブの外周面に圧接させ、その部分で上記注液チューブを径方向に潰した状態に変形させることにより上記外套管に対する上記注液チューブの移動に対し摩擦抵抗を加えて上記注液チューブが上記外套管に対して軸線方向に自由に移動するのを規制する摩擦抵抗付加手段
を設けたことを特徴とする内視鏡用注射具。
【請求項２】
上記注液チューブを上記外套管に対して所定位置で固定するためのチューブ固定手段が付加されている請求項１記載の内視鏡用注射具。
【発明の詳細な説明】
【０００１】
【発明の属する技術分野】
この発明は、内視鏡の処置具挿通路を通じて患者の体腔内に注射をするための内視鏡用注射具に関する。
【０００２】
【従来の技術】
内視鏡用注射具は一般に、先端に注射針が取り付けられた可撓性のある注液チューブを、内視鏡の処置具挿通路に挿脱自在な外套管内に進退可能に挿通し、手元側で注液チューブを進退操作することによって、先端の注射針部が外套管の先端から出し入れされるようになっている。
【０００３】
しかし、外套管に対して注液チューブが無抵抗に挿脱自在になっていると、例えば注射の準備中に注液チューブが外套管の手元側から抜け落ちてしまったり、逆に外套管の先端から注射針が飛びだしてしまう恐れがある。
【０００４】
そこで、注射針が外套管の先端内に納まった位置と、注射針が外套管の先端から突出した位置の２ヵ所の位置で、注液チューブを外套管に固定できるようにしていた（実公昭６３−３４６９９号）。
【０００５】
【発明が解決しようとする課題】
注射針部分を外套管の先端内に納めた状態で、注射具の先端部分を内視鏡の挿入部の先端内に位置させると、腰が強くて固い注射針部分が、ちょうど内視鏡の湾曲部内に位置することになる。すると、内視鏡の湾曲操作に支障が出てしまうので、湾曲操作時には注射具全体を湾曲部よりも手元側まで引き戻しておく必要がある。
【０００６】
したがって、患部に対して少しずつ位置を変えて繰り返して注射を行うような場合には、その度に、注射具全体を内視鏡に対して大きく進退させなければならず、内視鏡に対する外套管の挿脱操作と、外套管に対する注液チューブの挿脱操作の両方の操作をその度に行うことになって、操作が非常に煩雑である。
【０００７】
そこで本発明は、外套管内での注液チューブの位置を安定して維持することができ、しかも繰り返し注射等の際の操作が簡単でスムーズに注射を行うことのできる内視鏡用注射具を提供することを目的とする。
【０００８】
【課題を解決するための手段】
上記の目的を達成するため、本発明の内視鏡用注射具は、先端に注射針が設けられた可撓性のある注液チューブが、内視鏡の処置具挿通路に挿脱自在な外套管内に進退可能に挿通された内視鏡用注射具において、上記外套管に対する上記注液チューブの移動に対して摩擦抵抗を加えて上記注液チューブが上記外套管に対して軸線方向に自由に移動するのを規制する摩擦抵抗付加手段を設けたことを特徴とする。
【０００９】
なお、上記摩擦抵抗付加手段が、上記外套管の手元側口元に取り付けられた口金部分の部材を上記注液チューブの外周面に圧接させて構成されていてもよい。
また、上記注液チューブを上記外套管に対して所定位置で固定するためのチューブ固定手段を付加してもよい。
【００１０】
【発明の実施の形態】
図面を参照して本発明の実施の形態を説明する。
図１は、本発明の内視鏡用注射具１０を示しており、内視鏡の処置具挿通チャンネル内に挿脱自在な可撓性チューブからなる外套管１１内に、それより細い可撓性チューブからなる注液チューブ１２を進退自在に挿通して構成されている。
【００１１】
外套管１１は、例えばＰＴＦＥ（ポリテトラフルオロエチレン樹脂）によって形成されており、注液チューブ１２は、例えばポリイミド樹脂又はＰＴＦＥ等により形成されている。ただし、その他の種類の合成樹脂製でもよい。
【００１２】
注液チューブ１２の先端は、人の体腔内壁に突き刺すことができるように、斜めに切り削がれて、注射針部１３が形成されている。ただし、金属製又は非金属製の注射針を注液チューブ１２の先端に連結してもよい。
【００１３】
注液チューブ１２の手元側基端部には、注液チューブ１２内に液体を送り込むための液体注入口金１４が固定的に接合連結されている。液体注入口金１４には、注射器を接続可能なテーパ孔１４ａが形成されている。なお、液体注入口金１４部分を注液チューブ１２と一体に形成してもよい。
【００１４】
外套管１１の手元側口元部には、液体注入口金１４を係脱自在な外套管入口口金１５が取り付けられている。外套管入口口金１５には、液体注入口金１４の半部を差し込み係合させて固定するためのテーパ孔１５ａが形成されている。
【００１５】
外套管入口口金１５と外套管１１とは、例えばステンレス鋼パイプのような金属製又は固い非金属製の接続パイプ１６を介して接続されている。したがって、外套管入口口金１５に差し込まれた注液チューブ１２は、接続パイプ１６内を通って外套管１１内に挿通される。
【００１６】
接続パイプ１６には、外套管１１内に挿通された注液チューブ１２に摩擦抵抗を付加するように内方に向けて潰された摩擦抵抗付加部１９が、中間部分に形成されている。
【００１７】
図２は、その部分の断面を拡大して示しており、摩擦抵抗付加部１９では、接続パイプ１６がやや偏平状になるように潰されている。ただし、図３に示されるように、接続パイプ１６をハート形の断面形状又はその他の形状に潰して摩擦抵抗付加部１９を形成してもよい。
【００１８】
そのように接続パイプ１６を部分的に潰して形成された摩擦抵抗付加部１９内を通過する注液チューブ１２は、その部分１９では接続パイプ１６によって径方向にごく僅かな量潰されて変形する。その他の部分では注液チューブ１２は接続パイプ１６内に緩く嵌挿された状態になっている。
【００１９】
その結果、摩擦抵抗付加部１９において、接続パイプ１６から注液チューブ１２の外周面に対して摩擦抵抗が付加され、外套管１１内において、注液チューブ１２が自重や小さな外力などでは軸方向に進退せず、ある程度以上の操作力を加えることによって初めて進退する状態になっている。
【００２０】
このように形成された注射具１０は、図４に示されるように、内視鏡１の処置具挿通路内に挿通されて使用され、液体注入口金１４を外套管入口口金１５に係止した状態では、注射針部１３が外套管１１の先端から突出する。２は、内視鏡１の操作部３からの遠隔操作によって屈曲自在に、内視鏡挿入部４の先端に形成された湾曲部である。
【００２１】
患部に対して、少しずつ位置を変えて繰り返して注射を行うような場合には、外套管１１を図４に示される状態に保って液体注入口金１４を手前に引っ張り、注射針部１３が湾曲部２より手元側の位置に来るまで注液チューブ１２だけを引き出す。
【００２２】
その状態にすれば、湾曲部２を何の問題もなく容易に湾曲させることができ、その間、注液チューブ１２は摩擦抵抗付加部１９で付加される摩擦抵抗によって、外套管１１内では自由に移動しない。
【００２３】
そして、内視鏡１の湾曲操作が終わったら、注液チューブ１２を外套管１１内に押し込む操作をして、注射針部１３を外套管１１の先から突出させて患部に対する注射を行う。
【００２４】
図５は、本発明の内視鏡用注射具の第２の実施の形態を示しており、注液チューブ１２が外套管１１に固定された状態にするために外套管入口口金１５に対して係合させる摘み１７を付加して、その摘み１７を、液体注入口金１４から離れた位置で注液チューブ１２に固定したものである。
【００２５】
このようにすることにより、図６に示されるように、注液チューブ１２を外套管１１内で進退させるための操作部分（１５，１７）と注液チューブ１２に注射器を接続する部分（１４）とが離れるので、助手などが液体注入口金１４に注射器を接続して注液チューブ１２に薬液を注入する際の操作が行いやすくなる。その他の構成は前述の第１の実施の形態と同じである。
【００２６】
図７は、本発明の内視鏡用注射具の第３の実施の形態の摩擦抵抗付加部１９を示しており、この実施の形態では、接続パイプ１６を単に径方向に潰さずに、円弧状に変形させて、そこを注液チューブ１２が直線状に通過できないようにしたものである。このように構成しても、第１の実施の形態と同様に注液チューブ１２に対して摩擦抵抗を付加することができる。
【００２７】
図８は、本発明の内視鏡用注射具の第４の実施の形態の摩擦抵抗付加部１９を示しており、外套管１１は図示が省略されている。ここでは、接続パイプ１６の中間部分の内径を注液チューブ１２の外径より僅かに小さく形成して、その部分の接続パイプ１６に軸線と平行なスリット１６ａを穿設してある。スリット１６ａは、裏側にも形成されている。
【００２８】
このように構成することにより、スリット１６ａで切り分けられた接続パイプ１６の両側部分が摩擦抵抗付加部１９になり、その部分の弾力性によって注液チューブ１２が常時緩く締めつけられて、第１の実施の形態と同様に動作する。
【００２９】
【発明の効果】
本発明によれば、外套管に対する注液チューブの移動が摩擦抵抗によって規制されるので、外套管内で注液チューブが勝手に移動せずその位置を安定させることができる。しかも繰り返し注射等の際には、内視鏡の処置具挿通路に対して外套管を繰り返し挿脱させる必要がなく、注液チューブだけを任意量引き出して止め置いたあと再び押し込めばよいので、挿脱操作が簡単で体腔内にスムーズに注射を行うことができる。
【図面の簡単な説明】
【図１】本発明の第１の実施の形態の内視鏡用注射具の縦断面図である。
【図２】本発明の第１の実施の形態の摩擦抵抗付加部の断面図である。
【図３】本発明の第１の実施の形態の摩擦抵抗付加部の異なる例の断面図である。
【図４】本発明の第１の実施の形態の使用状態の側面図である。
【図５】本発明の第２の実施の形態の内視鏡用注射具の部分縦断面図である。
【図６】本発明の第２の実施の形態の使用状態の側面図である。
【図７】本発明の第３の実施の形態の内視鏡用注射具の部分縦断面図である。
【図８】本発明の第４の実施の形態の内視鏡用注射具の部分斜視図である。
【符号の説明】
１１  外套管
１２  注液チューブ
１６  接続パイプ
１９  摩擦抵抗付加部
【図１】
0003548300.tif 000002
【図２】
0003548300.tif 000003
【図３】
0003548300.tif 000004
【図４】
0003548300.tif 000005
【図５】
0003548300.tif 000006
【図６】
0003548300.tif 000007
【図７】
0003548300.tif 000008
【図８】
0003548300.tif 000009